(57)【要約】【課題】照明器具を利用し照明の仕方を変更することで来客を報知することにより、確実な来客報知を可能にする。【解決手段】  本発明の一態様に係る来客報知照明器具は、非来客時の照明状態及び前記非来客時の照明状態とは異なる来客時の照明状態での照明が可能な照明手段と、来客が検知されたことを示す情報を取得する情報取得手段と、前記情報取得手段が取得した情報に基づいて前記照明手段の照明状態を制御するものであって、前記情報取得手段によって来客が検知されたことを示す情報が取得された場合には、前記照明手段を前記非来客時の照明状態から前記来客時の照明状態に変更して来客報知するように制御する制御部とを具備する。【選択図】図１
2017147071.tif 000002
【特許請求の範囲】
【請求項１】
非来客時の照明状態及び前記非来客時の照明状態とは異なる来客時の照明状態での照明が可能な照明手段と、
来客が検知されたことを示す情報を取得する情報取得手段と、
前記情報取得手段が取得した情報に基づいて前記照明手段の照明状態を制御するものであって、前記情報取得手段によって来客が検知されたことを示す情報が取得された場合には、前記照明手段を前記非来客時の照明状態から前記来客時の照明状態に変更して来客報知するように制御する制御部と
を具備したことを特徴とする来客報知照明器具。
【請求項２】
報知音を発生する聴覚報知手段を更に具備し、
前記制御部は、前記情報取得手段によって来客が検知されたことを示す情報が取得された場合には、前記照明手段の照明状態を来客時の照明状態として来客報知すると共に、前記聴覚報知手段に報知音を発生させる
ことを特徴とする請求項１に記載の来客報知照明器具。
【発明の詳細な説明】
【技術分野】
【０００１】
本発明は、照明器具に来客報知機能を追加した来客報知照明器具に関する。
【背景技術】
【０００２】
従来、住宅等において来客を検知して報知する機能を有する来客報知器が商品化されている。小規模の店舗では、従業員がバックヤードに配置されることがある。この場合、店舗に来客があっても、従業員は来客に気づきにくい。特にこのような商業施設では来客報知によって確実に従業員に来客を知らせる必要性が高い。
【０００３】
特許文献１においては、時計に報知機能を持たせた発明が開示されている。この発明では、来客時、玄関の押しボタンが押されるとリレーが作動して、時計に内蔵されている報知器を来客報知用に切り替えて来客報知を行なうようになっている。時刻を知らせる時計の報知音を利用することで、来客を知らせることができる。
【０００４】
また、特許文献２には、パーソナルコンピュータに報知機能を持たせた発明が開示されている。この発明では、玄関において来客した人の画像を撮影し、パーソナルコンピュータ（PC）に来客画像を伝送して、パーソナルコンピュータのモニタ画面上に来客画像を表示する。すなわち、この提案では、パーソナルコンピュータのモニタ画面を利用して来客映像を表示することで、来客を知らせるようになっている。
【先行技術文献】
【特許文献】
【０００５】
【特許文献１】実開平６−５６７８５号公報
【特許文献２】特開平１１−７４９７７号公報
【発明の概要】
【発明が解決しようとする課題】
【０００６】
上述した特許文献１の提案では、報知音によって来客を知らせる構成となっている。また、特許文献２においては、携帯電話及びパーソナルコンピュータを利用して来客報知を行うものである。しかし、パーソナルコンピュータや携帯電話の画面表示がオンになっていて、しかもそれをユーザが見ているという状況が通常である環境でなければ利用しにくく、結局は特許文献２の提案においても確実な報知のためには報知音を利用する必要がある。しかしながら、報知音を利用して来客を知らせるこれらのシステムにおいては、騒音環境等では報知音に気付かず、来客を知ることができないこともあるという問題があった。
【０００７】
本発明は、照明器具を利用し照明の仕方を変更することで来客を報知することにより、確実な来客報知を可能にすることができる来客報知照明器具を提供することを目的とする。
【課題を解決するための手段】
【０００８】
本発明の一態様による来客報知照明器具は、非来客時の照明状態及び前記非来客時の照明状態とは異なる来客時の照明状態での照明が可能な照明手段と、来客が検知されたことを示す情報を取得する情報取得手段と、前記情報取得手段が取得した情報に基づいて前記照明手段の照明状態を制御するものであって、前記情報取得手段によって来客が検知されたことを示す情報が取得された場合には、前記照明手段を前記非来客時の照明状態から前記来客時の照明状態に変更して来客報知するように制御する制御部とを具備する。
【発明の効果】
【０００９】
本発明によれば、照明器具を利用し照明の仕方を変更することで来客を報知することにより、確実な来客報知を可能にすることができるという効果を有する。
【図面の簡単な説明】
【００１０】
【図１】本発明の第１の実施の形態に係る来客報知照明器具を示すブロック図。
【図２】図１の来客報知照明器具に来客検知情報を送信する来客検知器を示すブロック図。
【図３】制御部１４による制御を示すフローチャート。
【図４】本発明の第２の実施の形態を示すブロック図。
【発明を実施するための形態】
【００１１】
以下、図面を参照して本発明の実施の形態について詳細に説明する。
（第１の実施の形態）
図１は本発明の第１の実施の形態に係る来客報知照明器具を示すブロック図である。また、図２は図１の来客報知照明器具に来客検知情報を送信する来客検知器を示すブロック図である。
【００１２】
図２の来客検知器２０は、来客を検知したい位置に設置される。例えば、一般住宅においては、玄関の外側等に取り付けられ、商業施設では、店舗の入口ドアの外側等に設置される。一方、図１の来客報知照明器具１０は、報知器として機能する照明器具であり、来客を報知したい場所、例えば室内の天井や壁等に設置される。
【００１３】
先ず、図２を参照して来客検知器２０について説明する。
【００１４】
図２において、来客検知器２０の電源部２５は、商用交流電源電圧が与えられて、直流電圧を発生する。例えば、電源部２５は、１００Ｖ交流電圧を３Ｖの直流電圧に変換する。電源部２５は発生した直流電圧を電源電圧として、人感検知部２１、制御部２２、送信機２３、メロディＩＣ２４及びＬＥＤ２６に供給するようになっている。
【００１５】
人感検知部２１は、例えば、赤外線等を用いた人感センサ等によって構成することができ、来客者を検知すると制御部２２に人感検知信号を出力するようになっている。
【００１６】
制御部２２は、マイクロコンピュータ等によって構成することができ、人感検知信号入力端子、照明制御用端子、音声制御用端子及び送信制御用端子を備えている。
【００１７】
制御部２２の照明制御用端子は、ＬＥＤ２６及び抵抗Ｒ２を介して電源部２５の電源端子に接続される。また、制御部２２の音声制御用端子は、メロディＩＣ２４に接続される。制御部２２の送信制御用端子は、送信機２３に接続される。
【００１８】
制御部２２は、人感検知信号入力端子に人感検知部２１の出力端が接続されており、人感検知部２１の出力に基づいて、各端子状態を設定するようになっている。
【００１９】
即ち、制御部２２は、来客の検知を示す人感検知信号が入力されると、照明制御用端子に接続されたＬＥＤ２６に電流を流して点灯させると共に、メロディＩＣ２４に所定の音声、例えばチャイム音を発生させるための制御信号を出力する。これにより、ＬＥＤ２６は点灯し、メロディＩＣ２４は、音声信号をスピーカＳＰ２に出力してスピーカＳＰ２からチャイム音等を発生させる。即ち、人感検知部２１の検知エリア内に人が進入すると、来客者を検知したことを示すＬＥＤ照明が行われると共にチャイム音が鳴って、来客者は来客検知されたことを知ることができる。
【００２０】
本実施の形態においては、制御部２２は、来客の検知を示す人感検知信号が入力されると、送信機２３に来客者を検知したことを示す来客検知情報を送信させるようになっている。送信機２３は、制御部２２からの来客検知情報をアンテナＡＮＴ２を介して送信する。こうして、来客者が人感検知部２１の検知エリア内に進入すると、送信機２３から来客検知情報が来客報知照明器具１０に送信される。
【００２１】
図１において、来客報知照明器具１０の電源部１８は、商用交流電源電圧が与えられて、直流電圧を発生する。例えば、電源部１８は、１００Ｖ交流電圧から３０Ｖ及び３Ｖの２つの直流電圧を発生する。電源部１８は発生した直流電圧を電源電圧として、人感検知部１１、照明手段としての照明器具１２、照度センサ１３、制御部１４、受信機１６、メロディＩＣ１７に供給するようになっている。なお、電源部１８は、照明器具１２には例えば３０Ｖの直流電圧を供給し、他の各部には３Ｖの直流電圧を供給する。
【００２２】
本実施の形態においては、照明器具１２は、通常照明用の照明部である白色ＬＥＤ１２１と来客報知用の照明部であるＲＧＢＬＥＤ１２２とを有している。これらの白色ＬＥＤ１２１とＲＧＢＬＥＤ１２２とにはそれぞれ電源部１８から独立に直流電圧が供給されるようになっている。
【００２３】
なお、通常照明用の照明部としては白色ＬＥＤに限らず電球色ＬＥＤ等の一般的な種々の照明器具を採用してもよい。また、通常照明用の照明部は必ずしも必要ではなく省略可能である。また、例えば、来客報知用の照明部によって通常照明用の照明部を兼用することも可能である。本実施の形態においては、来客時と非来客時とで、照明の仕方（照明状態）を変更できれば、どのような照明部を採用してもよい。
【００２４】
人感検知部１１は、例えば、赤外線等を用いた人感センサ等によって構成することができ、人が検知エリアに進入すると制御部１４に人感検知信号を出力するようになっている。
【００２５】
照度センサ１３は、周囲の光を受光し、受光した光の照度に応じた光電流を発生する。照度センサ１３の出力端は抵抗Ｒ１を介して基準電位点に接続されており、照度センサ１３は、出力端から光電流に応じた電圧の照度検出信号を発生させて制御部１４に供給するようになっている。
【００２６】
制御部１４はマイコンコンピュータ等によって構成することができ、人感検知信号入力端子、照度検出信号入力端子、第１乃至第４照明制御用端子、音声制御用端子、受信制御用端子及び２つの設定用端子を備えている。制御部１４は、人感検知信号入力端子に人感検知部１１から人感検知信号が入力され、照度検出信号入力端子に照度センサ１３からの照度検出信号が入力されるようになっている。
【００２７】
制御部１４は、人感検知部１１からの人感検知信号及び照度センサ１３からの照度検出信号に基づいて、第１照明制御用端子の端子状態を設定するようになっている。制御部１４の第１照明制御用端子は、スイッチング用のトランジスタＱ１のベースに接続される。トランジスタＱ１のコレクタは白色ＬＥＤ１２１に接続されエミッタは基準電位点ＧＮＤに接続される。制御部１４は、第１照明制御用端子からトランジスタＱ１をオンにするオン電圧とトランジスタＱ１をオフにするオフ電圧とを発生する。制御部１４は、トランジスタＱ１のオン期間の割合を制御するＰＷＭ制御によって、白色ＬＥＤ１２１の発光量を制御するようになっている。
【００２８】
例えば、制御部１４は、照度検出信号に基づいて、周囲の照度が低い程第１照明制御用端子のオン期間の割合を大きくして、白色ＬＥＤ１２１が明るく点灯するように制御してもよい。また、制御部１４は、照度検出信号に基づいて、昼間等のように周囲の照度が所定の閾値以上である場合には、第１照明制御用端子をオフ電圧にしてトランジスタＱ１をオフにし、色色ＬＥＤ１２１を消灯させるようにしてもよい。
【００２９】
また、例えば、制御部１４は、人が検知エリアに進入したことを示す人感検知信号が入力されるとトランジスタＱ１のＰＷＭ制御により、白色ＬＥＤ１２１が点灯するように制御してもよい。例えば、制御部１４は、照度検出信号に応じて白色ＬＥＤ１２１の発光量を制御すると共に、人が検知エリアに進入したことを示す人感検知信号が入力されると、白色ＬＥＤ１２１を１００％調光で発光させるようにしてもよい。
【００３０】
また、制御部１４の第２乃至第４照明制御用端子は、それぞれトランジスタＱ２〜Ｑ４のベースに接続される。トランジスタＱ２のコレクタはＲＧＢＬＥＤ１２２のＲ（赤）ＬＥＤに接続され、トランジスタＱ３のコレクタはＲＧＢＬＥＤ１２２のＧ（緑）ＬＥＤに接続され、トランジスタＱ４のコレクタはＲＧＢＬＥＤ１２２のＢ（青）ＬＥＤに接続される。トランジスタＱ２〜Ｑ４の各エミッタは基準電位点ＧＮＤに接続される。
【００３１】
制御部１４は、第２乃至第４照明制御用端子に接続されたトランジスタＱ２乃至Ｑ４のオン，オフを相互に独立してＰＷＭ制御することで、ＲＧＢＬＥＤ１２２の各ＲＬＥＤ，ＧＬＥＤ，ＢＬＥＤの発光量を独立に制御するようになっている。即ち、制御部１４は、第２乃至第４照明制御用端子の端子状態を変化させることで、ＲＧＢＬＥＤ１２２を所望の明るさ、所望の色で発光させることができるようになっている。なお、制御部１４は、来客検知器２０において来客が検知されないとき（非来客時）には、第２乃至第４照明制御用端子をオフ電圧に設定して、ＲＧＢＬＥＤ１２２を消灯させるようになっている。
【００３２】
また、制御部１４の音声制御用端子は、メロディＩＣ１７に接続される。聴覚報知手段としてのメロディＩＣ１７は、制御部１４に制御されて、音声信号をスピーカＳＰ２に出力してスピーカＳＰ２から報知音を発生させることができるようになっている。
【００３３】
情報取得手段としての受信機１６は、来客検知器２０の送信機２３から送信された来客検知情報をアンテナＡＮＴ１を介して受信することができるようになっている。例えば、送信機２３及び受信機１６は、無線通信が可能であり、例えば、Ｗｉｆｉ等の無線ＬＡＮ規格に従った無線通信を行うことができるように構成されている。受信機１６は、受信した来客検知情報を制御部１４の受信制御用端子に供給する。
【００３４】
制御部１４は、受信制御用端子を介して入力された来客検知情報に基づいて、第１乃至第４照明制御用端子及び音声制御用端子の端子状態を設定するようになっている。制御部１４は、来客を知らせる来客検知情報が受信制御用端子に入力されると、トランジスタＱ１をオフにすると共に、トランジスタＱ２〜Ｑ４のオン，オフを独立してＰＷＭ制御するように、第１乃至第４照明制御用端子の端子状態を設定する。これにより、白色ＬＥＤ１２１を消灯させると共に、ＲＧＢＬＥＤ１２２を所定の色で、且つ所定の明るさで点灯させるようになっている。なお、制御部１４は、来客を知らせる来客検知情報が入力されると、白色ＬＥＤ１２１を消灯制御するものと説明したが、白色ＬＥＤ１２１の照度を所定の閾値よりも低下させるように制御してもよく、場合によっては白色ＬＥＤ１２１に対して制御を行わなくてもよい。
【００３５】
また、制御部１４は、来客を知らせる来客検知情報が受信制御用端子に入力されると、メロディＩＣ１７に所定の報知音を発生させるための制御信号を出力する。これにより、メロディＩＣ１７は、音声信号をスピーカＳＰ１に出力してスピーカＳＰ１から報知音を発生させるようになっている。
【００３６】
また、本実施の形態においては、ＲＧＢＬＥＤ１２２による照明（以下、報知照明という）の発光色及び発光量、並びにメロディＩＣ１７による報知音の種類をユーザ操作に基づいて設定変更することができるようになっている。この設定を行うために、例えば不揮発性のメモリ１９が設けられており、メモリ１９には、設定情報が格納されるようになっている。また、制御部１４の２つの設定用端子には、設定信号発生器１５１，１５２（以下、これらを区別する必要がない場合には単に設定信号発生器１５という）からの設定信号が入力されるようになっている。
【００３７】
設定信号発生器１５１，１５２としては、例えば、近接スイッチを採用することができる。近接スイッチは、例えば、人の指が近づいたことを検知して、検知信号を出力することができる。設定信号発生器１５１，１５２は、このような検知信号を設定信号として制御部１４の２つの設定用端子にそれぞれ供給することができるようになっている。制御部１４は、２つの設定用端子の状態に応じて、報知時に用いる設定情報を決定する。
【００３８】
例えば、メモリ１９に格納される設定情報としては、報知照明の発光色を規定するための第２乃至第４照明制御用端子のＰＷＭ制御に関する情報（以下、色情報という）が考えられる。メモリ１９にはこの色情報としてＲＧＢＬＥＤ１２２を複数の色で発光させるための複数の色情報が記憶されている。制御部１４は、設定信号発生器１５１からユーザの指定変更操作に基づく設定信号が発生する毎に、メモリ１９から読出す色情報を切換え、読出した色情報に基づいて第２乃至第４照明制御用端子の状態を制御するようになっている。これにより、ＲＧＢＬＥＤ１２２の各色光成分が色情報に基づく割合で混合されて、ＲＧＬＥＤ１２２からは色情報に基づく色光が出射される。
【００３９】
また、例えば、メモリ１９に格納される設定情報としては、報知照明の発光量を規定するための第２乃至第４照明制御用端子のＰＷＭ制御に関する情報（以下、発光量情報という）が考えられる。メモリ１９にはこの発光量情報としてＲＧＢＬＥＤ１２２を複数の発光量で発光させるための複数の発光量情報が記憶されている。制御部１４は、設定信号発生器１５２からユーザの指定変更操作に基づく設定信号が発生する毎に、読出す発光量情報を切換え、読出した発光量情報に基づいて第２乃至第４照明制御用端子の状態を制御するようになっている。
【００４０】
また、例えば、メモリ１９に格納される設定情報としては、メロディＩＣ１７からの報知音の種類を規定するための情報（以下、報知音情報という）が考えられる。メモリ１９にはこの報知音情報としてメロディＩＣ１７が保持する複数の音声情報を指定するための複数の報知音情報が記憶されている。制御部１４は、設定信号発生器１５１及び１５２からユーザの指定変更操作に基づく設定信号が同時に発生する毎に、読出す報知音情報を切換え、読出した報知音情報をメロディＩＣ１７に供給する制御信号として音声制御用端子からメロディＩＣ１７に出力するようになっている。メロディＩＣ１７は、入力された制御信号に基づいて報知音の発生に用いる音声情報を選択するようになっている。
【００４１】
なお、制御部１４は、ユーザの指定変更操作に基づいて指定された色情報、発光量情報及び報知音情報については、メモリ１９に記憶させるようになっており、次回のユーザ操作が発生するまで記憶した情報を用いて各端子の状態を設定するようになっている。
【００４２】
また、制御部１４は、報知照明による報知（照明報知）及び報知音による報知（音声報知）を、これらの報知の開始から所定時間経過することで終了させてもよい。また、制御部１４は、メロディＩＣ１７による報知音が出力される期間だけ報知照明を行うようにしてもよく、また、ユーザ操作に基づいて照明報知及び音声報知を終了させてもよい。制御部１４は、照明報知及び音声報知を終了させると、白色ＬＥＤ１２１による通常時の照明制御に復帰するようになっている。
【００４３】
次に、このように構成された実施の形態の動作について、図３のフローチャートを参照して説明する。図３は制御部１４による制御を示すフローチャートである。
【００４４】
図３のステップＳ１において、制御部１４は、指定されている色情報、発光量情報及び報知音情報をメモリ１９から読み出す。制御部１４は、ステップＳ２において、設定情報の指定変更操作が行われたか否かを判定する。ユーザは設定信号発生器１５を操作することで、指定する設定情報を変更することができる。ユーザが指定変更操作を行うと、制御部１４は、メモリ１９からユーザ操作に基づく設定情報を読み出して、各端子の状態制御に用いる。ユーザの指定変更操作がない場合には、制御部１４は以前に指定されている設定情報をそのまま用いる。
【００４５】
制御部１４は、ステップＳ４において人感検知部１１の出力を取得し、ステップＳ５において照度センサ１３の出力を取得する。制御部１４は、次のステップＳ６において、人感検知信号及び照度検出信号に基づいて第１照明制御用端子の状態を設定する。制御部１４の第１照明制御用端子の状態に基づいてトランジスタＱ１がオン，オフ制御され、白色ＬＥＤ１２１が点灯制御される。こうして、通常時は、照明器具１２の白色ＬＥＤ１２１は、人感検知部１１の出力及び照度センサ１３の出力に基づいて点灯する。
【００４６】
制御部１４はステップＳ７において受信機１６からの情報を取得し、取得した情報に基づいて、来客が検知されたか否かを判定する（ステップＳ８）。来客が検知されていない場合には、制御部１４はステップＳ８からステップＳ１に処理を戻して、ステップＳ１〜Ｓ８の処理を繰り返す。これにより、来客が検知されていない通常時には、白色ＬＥＤ１２１は、例えば、照度検出信号に基づく明るさで調光されると共に、人が検知されると１００％調光で点灯する。
【００４７】
いま、来客検知器２０の人感検知部２１によって、来客者が検知されるものとする。人感検知部２１の出力は制御部２２に供給されており、制御部２２は、来客の検知を示す人感検知信号が入力されると、送信機２３に来客者を検知したことを示す検知情報を送信させる。なお、人感検知部２１の検知エリア内に人が進入すると、ＬＥＤ２６による照明が行われると共にスピーカＳＰ２からチャイム音が鳴って、来客者は来客検知されたことを知ることができる。
【００４８】
来客報知照明器具１０の受信機１６は、来客検知器２０の送信機２３との間で無線による通信を行って、送信機２３が送信した来客検知情報を受信する。制御部１４は、ステップＳ７においてこの来客検知情報を受信して、来客が検知されたものと判定すると、処理をステップＳ８からステップＳ９に移行して、指定されている設定情報に基づいて第１乃至第４照明制御用端子の状態を設定する。例えば、制御部１４は、第１照明制御用端子をオフ電圧にすることで、白色ＬＥＤ１２１を消灯させる。また、制御部１４は、指定されている発光量情報及び色情報に基づいて、独立してトランジスタＱ２〜Ｑ４のオン，オフをＰＷＭ制御するように、第２乃至第４照明制御用端子の状態を制御する。これにより、ＲＧＢＬＥＤ１２２は、所定の色、所定の明るさで点灯する。
【００４９】
即ち、来客がいない非来客時には、人感検知結果及び照度検出結果に基づいて白色ＬＥＤ１２１によって白色照明が行われていたのに対し、来客が発生して来客が検知されると、白色照明が消灯されて、代わりにＲＧＢＬＥＤ１２２により任意の色の任意の明るさでの照明が行われる。このような照明の変化は、照明器具１２によって照明が行われている室内等にいる人は容易に感知することができる。例えば、白色ＬＥＤ１２１による昼光色からＲＧＢＬＥＤ１２２による電球色に照明が変化すると、比較的容易に照明の変化に気付くことができる。更に、通常の照明では使用されない昼光色、電球色以外の色光の照明に変化させることで、一層照明の変化が認識し易くなる。こうして、ユーザは、報知照明により、来客が来たことを認識することができる
制御部１４は、次のステップＳ１０において、メロディＩＣ１７に報知音情報に基づく制御信号を与えて、報知音をスピーカＳＰ１から出力させる。ユーザは、この報知音を聞くことでも、来客があったことを認識することができる。即ち、ユーザは、報知照明及び報知音によって、確実に来客の到来を知ることができる。
【００５０】
制御部１４は、ステップＳ１１において、報知照明及び報知音の開始から所定時間が経過したか否かを判定する。報知照明及び報知音が所定時間行われると、制御部１４は照明報知及び音声報知を終了させ（ステップＳ１２）、白色ＬＥＤ１２１に対する通常の点灯制御に戻す。
【００５１】
このように本実施の形態においては、来客が検知されると、通常の例えば白色光照明に代えて、報知照明にて室内等を照明する。報知照明は、通常の照明に対して、色や明るさ等、照明の仕方が異なる。特に照明色の変化は比較的容易に気付くことができ、照明の変化によって、来客者があったことを確実に知ることができる。更に、報知音による報知も併用されており、視覚聴覚の両方で来客の到来を確実に把握することができる。しかも、報知照明は、照明が届く比較的広範囲において確認することができ、環境音等によって報知音が聞こえない場合でも、確実に報知照明が行われていることを認識することができる。
【００５２】
なお、上記実施の形態においては、来客検知器からの来客検知情報を無線によって来客報知照明器具に伝送する例について説明したが、有線によって伝送してもよい。また、来客報知用の照明部としては、ＲＧＢを独立して制御可能な３色ＬＥＤを採用する例を説明したが、照明の仕方の変化を人に知らせることが可能であれば、どの様な照明部でもよい。例えば、色や明るさがゆっくり変化する照明であってもよく、場合によっては、点滅する照明であってもよい。
（第２の実施の形態）
図４は本発明の第２の実施の形態を示すブロック図である。図４において図１と同一の構成要素には同一符号を付して説明を省略する。図１の照明器具１２は、報知照明としてＲＧＢＬＥＤを採用して、通常照明用の照明部とは発光色及び明るさ等が異なる照明光によって、来客者があることを報知するようになっていた。これに対し、本実施の形態は、照明器具の点灯面（発光面）を変化させることで、来客者があることを報知する例を示している。
【００５３】
本実施の形態は、照明器具１２に代えて照明器具３１を採用した点が第１の実施の形態と異なる。照明器具３１は、複数の点灯面を有するように構成されている。図４の例では、照明器具３１は、正面点灯面３１ａ、右側面点灯面３１ｂ、上側面点灯面３１ｃ、下側面点灯面３１ｄ、左側面点灯面３１ｅを有している。
【００５４】
本実施の形態においては、制御部１４は、通常照明用の照明部として、例えば右側面点灯面３１ｂ、上側面点灯面３１ｃ、下側面点灯面３１ｄ及び左側面点灯面３１ｅ（以下、これらを区別する必要がない場合には、側面点灯面３１ｂ〜３１ｅという）を用い、来客報知用の照明部として正面点灯面３１ａを用いる。正面点灯面３１ａと右側面点灯面３１ｂ、上側面点灯面３１ｃ、下側面点灯面３１ｄ及び左側面点灯面３１ｅとは、それぞれ電源部１８から直流電圧が供給されて、相互に独立に点灯可能に構成されている。
【００５５】
例えば、照明器具３１の背面を天井面や壁面に取り付けた状態では、正面点灯面３１ａは主に取付面に垂直な方向に配光分布を有し、右側面点灯面３１ｂ、上側面点灯面３１ｃ、下側面点灯面３１ｄ及び左側面点灯面３１ｅは、主に取付面に平行な方向に配光分布を有する。右側面点灯面３１ｂと左側面点灯面３１ｅとは主に相互に逆方向に配光分布を有し、上側面点灯面３１ｃと下側面点灯面３１ｄとは主に相互に逆方向に配光分布を有する。また、右側面点灯面３１ｂ及び左側面点灯面３１ｅの主な配光分布と、上側面点灯面３１ｃ及び下側面点灯面３１ｄの主な配光分布とは、相互に９０度異なる。
【００５６】
制御部１４は、第１乃至第５照明制御用端子を備えており、第１乃至第５照明制御用端子はトランジスタＱ１〜Ｑ５のベースに対して相互に独立にオン，オフ電圧を印加することができるようになっている。トランジスタＱ１のコレクタエミッタ路は、正面点灯面３１ａを点灯させる点灯回路を基準電位点に接続することができる。同様に、トランジスタＱ２〜Ｑ５のコレクタエミッタ路は、それぞれ、右側面点灯面３１ｂ、上側面点灯面３１ｃ、下側面点灯面３１ｄ及び左側面点灯面３１ｅを点灯させる点灯回路を基準電位点に接続することができるようになっている。
【００５７】
制御部１４は、受信機１６からの来客検知情報に基づいて正面点灯面を点灯させるか、他の側面点灯面３１ｂ〜３１ｅを点灯させるかを制御する。即ち、制御部１４は、来客が検知されていない場合、つまり非来客時には、トランジスタＱ２〜Ｑ５のオン，オフをＰＷＭ制御すると共に、トランジスタＱ１をオフにするように、第１乃至第５照明制御用端子の端子状態を設定する。また、制御部１４は、来客を知らせる来客検知情報が受信制御用端子に入力されると、トランジスタＱ２〜Ｑ５をオフにすると共に、トランジスタＱ１のオン，オフをＰＷＭ制御するように、第１乃至第５照明制御用端子の端子状態を設定する。
【００５８】
こうして、制御部１４は、非来客時には、側面点灯面３１ｂ〜３１ｅを点灯させ、正面点灯面３１ａを消灯させる。また、制御部１４は、来客時には、側面点灯面３１ｂ〜３１ｅを消灯させ、正面点灯面３１ａのみを点灯させるようになっている。
【００５９】
また、本実施の形態においては、照明器具３１の各点灯面のうち報知照明として用いて点灯面と通常照明として用いる点灯面とをユーザ操作に基づいて設定変更することができるようになっている。また、各点灯面の発光量もユーザ操作に基づいて設定変更することができるようになっている。メモリ１９には、この設定のための設定情報も格納されるようになっている。
【００６０】
例えば、制御部１４は、設定信号発生器１５１からユーザの指定変更操作に基づく設定信号が発生する毎に、報知照明として用いる点灯面と通常照明として用いる点灯面との複数の組み合わせから１つの組み合わせが記述された設定情報を切換えて読出して第１乃至第５照明制御用端子の状態を制御するようになっている。
【００６１】
また、例えば、制御部１４は、設定信号発生器１５２からユーザの指定変更操作に基づく設定信号が発生する毎に、メモリ１９から読出す発光量情報を切換え、読出した発光量情報に基づいて第１乃至第５照明制御用端子の状態を制御するようになっている。
【００６２】
なお、制御部１４は、ユーザの指定変更操作に基づいて指定された組み合わせ情報、発光量情報及び報知音情報については、メモリ１９に記憶させるようになっており、次回のユーザ操作が発生するまで記憶した情報を用いて各端子の状態を設定するようになっている。
【００６３】
他の構成は図１の実施の形態と同様である。
【００６４】
このように構成された実施の形態においては、来客が検知されない期間においては、制御部１４は側面点灯面３１ｂ〜３１ｅを点灯させ、正面点灯面３１ａを消灯させる。これにより、例えば、照明器具３１を天井面や壁面に設置すると、通常時は、設置面に沿った配光分布で照明が行われることになり、まぶしくなく、柔らかいと感じる照明が行われる。
【００６５】
来客が来客検知器２０（図２参照）の人感検知部２１によって検出されて、受信機１６によって来客が来たことを示す来客検知情報が受信されると、制御部１４は、側面点灯面３１ｂ〜３１ｅを消灯させ、正面点灯面３１ａを点灯させる。これにより、例えば、照明器具３１を天井面や壁面に設置すると、来客時は、設置面に垂直な方向に主な配光分布を有する照明が行われることになる。つまり、来客時には、室内の人に向かって照明光が照射されることになり、室内の人は照明の仕方に変化があったことを容易に認識することができる。これにより、ユーザは来客が来たことを知ることができる。
【００６６】
このように本実施の形態においても、来客者が来たことを照明の仕方を変化させることで視覚的に認識させるようになっており、確実な報知が可能である。他の作用効果は第１の実施の形態と同様である。
【００６７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい
【符号の説明】
【００６８】
１０…来客報知照明器具、１１…人感検知部、１２…照明器具、１２１…白色ＬＥＤ、１２２…ＲＧＢＬＥＤ、１３…照度センサ、１４…制御部、１５…設定信号発生器、１６…受信機、１７…メロディＩＣ、１８…メモリ、Ｑ１〜Ｑ４…トランジスタ。
【図１】
2017147071.tif 000003
【図２】
2017147071.tif 000004
【図３】
2017147071.tif 000005
【図４】
2017147071.tif 000006
【手続補正書】
【提出日】平成29年1月19日(2017.1.19)
【手続補正２】
【補正対象書類名】明細書
【補正対象項目名】０００１
【補正方法】変更
【補正の内容】
【０００１】
本発明は、照明器具に来客報知機能を追加した来客報知照明装置に関する。
【手続補正３】
【補正対象書類名】明細書
【補正対象項目名】０００７
【補正方法】変更
【補正の内容】
【０００７】
本発明は、照明器具を利用し照明の仕方を変更することで来客を報知することにより、確実な来客報知を可能にすることができる来客報知照明装置を提供することを目的とする。
【手続補正４】
【補正対象書類名】明細書
【補正対象項目名】０００８
【補正方法】変更
【補正の内容】
【０００８】
本発明の一態様による来客報知照明装置は、来客を検知するセンサと、前記センサにより来客が検知されると来客が検知されたことを示す情報を有線又は無線により送信する情報送信手段と、を有する来客検知部と、前記来客検知部とは別体に構成された照明器具とを具備し、前記照明器具は、非来客時の照明状態及び前記非来客時の照明状態とは異なる来客時の照明状態での照明が可能な照明手段と、前記情報送信手段によって送信された前記来客が検知されたことを示す情報を受信する情報受信手段と、前記情報受信手段が受信した情報に基づいて前記照明手段の照明状態を制御するものであって、前記情報受信手段によって来客が検知されたことを示す情報が受信された場合には、前記照明手段を前記非来客時の照明状態から前記来客時の照明状態に変更して来客報知するように制御する制御部とを具備する。
【手続補正５】
【補正対象書類名】特許請求の範囲
【補正対象項目名】全文
【補正方法】変更
【補正の内容】
【特許請求の範囲】
【請求項１】
来客を検知するセンサと、前記センサにより来客が検知されると来客が検知されたことを示す情報を有線又は無線により送信する情報送信手段と、を有する来客検知部と、
前記来客検知部とは別体に構成された照明器具とを具備し、
前記照明器具は、
非来客時の照明状態及び前記非来客時の照明状態とは異なる来客時の照明状態での照明が可能な照明手段と、
前記情報送信手段によって送信された前記来客が検知されたことを示す情報を受信する情報受信手段と、
前記情報受信手段が受信した情報に基づいて前記照明手段の照明状態を制御するものであって、前記情報受信手段によって来客が検知されたことを示す情報が受信された場合には、前記照明手段を前記非来客時の照明状態から前記来客時の照明状態に変更して来客報知するように制御する制御部と
を具備したことを特徴とする来客報知照明装置。
【請求項２】
前記照明手段は、発光色の変更又は発光面の変更が可能であり、
報知音を発生する聴覚報知手段を更に具備し、
前記制御部は、前記情報受信手段によって来客が検知されたことを示す情報が受信された場合には、前記照明手段の照明状態を来客時の発光色又は発光面にして来客報知すると共に、前記聴覚報知手段に報知音を発生させる
ことを特徴とする請求項１に記載の来客報知照明装置。